(57)【要約】【課題】  無線端末がローミングを行った直後においても着信を受けることが可能な無線端末及び無線ＬＡＮシステムを提供する。【解決手段】  無線端末１は、接続している無線ＬＡＮアクセスポイントが変化したことを示すローミングを検出するローミング検出部１０６と、ローミング検出部１０６によるローミングの検出によりＶｏＩＰサーバ５に認証用の呼制御パケットを送信する手段１０３、１０４とを具備する。また、ローミング検出部１０６は、所定時間毎に前回接続されていた無線ＬＡＮアクセスポイントの識別情報と現在接続されている無線ＬＡＮアクセスポイントの識別情報とを比較し、その比較結果に基づいて無線ＬＡＮアクセスポイントのローミングを検出する。【選択図】        図１
2007096845.tif 000002
【特許請求の範囲】
【請求項１】
スイッチングハブに複数の無線ＬＡＮアクセスポイントが接続され、前記無線ＬＡＮアクセスポイントに無線端末が接続され、更に、前記スイッチングハブには前記無線端末の呼制御を行うＶｏＩＰサーバが接続された無線ＬＡＮシステムにおいて、前記無線端末は、接続している無線ＬＡＮアクセスポイントが変化したことを示すローミングを検出する手段と、前記検出手段によるローミングの検出により前記ＶｏＩＰサーバに認証用の呼制御パケットを送信する手段とを備えたことを特徴とする無線ＬＡＮシステム。
【請求項２】
前記検出手段は、所定時間毎に前回接続されていた無線ＬＡＮアクセスポイントの識別情報と現在接続されている無線ＬＡＮアクセスポイントの識別情報とを比較し、その比較結果に基づいて無線ＬＡＮアクセスポイントのローミングを検出することを特徴とする請求項１に記載の無線ＬＡＮシステム。
【請求項３】
前記パケット送信手段は、予め無線端末に設定された外部との通信に関するＥＸＰＩＲＥ  ＴＩＭＥ値に関係なく、無線ＬＡＮアクセスポイントのローミングが検出された場合には、直ちに認証用の呼制御パケットを送信することを特徴とする請求項１又は２に記載の無線ＬＡＮシステム。
【請求項４】
接続している無線ＬＡＮアクセスポイントが変化したことを示すローミングを検出する手段と、前記検出手段によるローミングの検出により外部のＶｏＩＰの呼制御を行うＶｏＩＰサーバに対し認証用の呼制御パケットを送信する手段とを備えたことを特徴とする無線端末。
【請求項５】
前記検出手段は、所定時間毎に前回接続されていた無線ＬＡＮアクセスポイントの識別情報と現在接続されている無線ＬＡＮアクセスポイントの識別情報とを比較し、その比較結果に基づいて無線ＬＡＮアクセスポイントのローミングを検出することを特徴とする請求項４に記載の無線端末。
【請求項６】
前記パケット送信手段は、予め無線端末に設定された外部との通信に関するＥＸＰＩＲＥ  ＴＩＭＥ値に関係なく、無線ＬＡＮアクセスポイントのローミングが検出された場合には、直ちに認証用の呼制御パケットを送信することを特徴とする請求項４又は５に記載の無線端末。
【発明の詳細な説明】
【技術分野】
【０００１】
本発明は、無線端末及び無線ＬＡＮシステムに関し、特に、無線端末のローミング時における制御技術に関するものである。
【背景技術】
【０００２】
従来、無線ＬＡＮシステムにおいては、無線ＬＡＮアクセスポイントが複数存在し、それら複数の無線ＬＡＮアクセスポイントがスイッチングハブに接続されている。スイッチングハブには、複数の無線ＬＡＮアクセスポイントに対応するポート、アクセスポイントに対応するポートに対応して無線接続されている無線端末のＭＡＣアドレスを記憶するアドレステーブル、このアドレステーブルを参照して無線端末の接続制御等を行う制御部等が設けられている。
【０００３】
従来の無線ＬＡＮシステムとしては、例えば、特開２００３−１１６１７０号公報（特許文献１）、特開２００４−３０４５７０号公報（特許文献２）等に記載されたものがある。
【特許文献１】特開２００３−１１６１７０号公報
【特許文献２】特開２００４−３０４５７０号公報
【発明の開示】
【発明が解決しようとする課題】
【０００４】
従来技術においては、無線端末がローミングした直後、スイッチングハブはＶｏＩＰサーバからのパケットをローミング前の無線ＬＡＮアクセスポイントが接続されたポートに転送してしまうため、無線端末は着信を受けられず、無線端末が着信を受けられるようになるまで時間を要していた。
【０００５】
本発明の目的は、無線端末がローミングを行った直後においても着信を受けることが可能な無線端末及び無線ＬＡＮシステムを提供することにある。
【課題を解決するための手段】
【０００６】
本発明の無線ＬＡＮシステムは、上記目的を達成するため、スイッチングハブに複数の無線ＬＡＮアクセスポイントが接続され、前記無線ＬＡＮアクセスポイントに無線端末が接続され、更に、前記スイッチングハブには前記無線端末の呼制御を行うＶｏＩＰサーバが接続された無線ＬＡＮシステムにおいて、前記無線端末は、接続している無線ＬＡＮアクセスポイントが変化したことを示すローミングを検出する手段と、前記検出手段によるローミングの検出により前記ＶｏＩＰサーバに認証用の呼制御パケットを送信する手段とを備えたことを特徴とする。
【０００７】
また、本発明の無線端末は、接続している無線ＬＡＮアクセスポイントが変化したことを示すローミングを検出する手段と、前記検出手段によるローミングの検出により外部のＶｏＩＰの呼制御を行うＶｏＩＰサーバに対し認証用の呼制御パケットを送信する手段とを備えたことを特徴とする。
【発明の効果】
【０００８】
本発明によれば、無線端末がローミングを検出した時に認証用の呼制御パケットをＶｏＩＰサーバに送出することにより、ローミング直後であっても無線端末は着信を受けることが可能となる。
【発明を実施するための最良の形態】
【０００９】
次に、発明を実施するための最良の形態について図面を参照して詳細に説明する。図１は本発明に係る無線ＬＡＮシステムの一実施形態の構成を示すブロック図である。図１において、スイッチングハブ４に無線ＬＡＮアクセスポイント２、無線ＬＡＮアクセスポイント３、…、が接続されている。
【００１０】
また、ＶｏＩＰの呼制御を行う機能を有するＶｏＩＰサーバ５がスイッチングハブ４に接続されており、ＶｏＩＰサーバ５のクライアントでありＩＰによる音声通信機能を有する無線端末１が無線ＬＡＮアクセスポイント２に無線ＬＡＮ７を経由して無線接続されている。更に、スイッチングハブ４にはＶｏＩＰサーバ５のクライアントであるＶｏＩＰ端末６が接続されている。
【００１１】
図２は無線端末１の内部構成を示すブロック図である。無線端末１は無線の送受信を行う無線Ｉ／Ｆ部１０１を有する。また、無線端末１はパケットのヘッダ情報を解析し、無線端末１が接続されている無線ＬＡＮアクセスポイントの情報を検出するヘッダ解析部１０２を有する。ヘッダ解析部１０２は無線ＬＡＮアクセスポイントの情報をＡＰ情報テーブル１０５に書き出す。
【００１２】
また、無線端末１はＶｏＩＰの呼制御を行う呼制御部１０３を有する。本実施形態では、この呼制御部１０３が有する呼制御プロトコルは問わない。無線端末１は送信するパケットを生成する送信パケット生成部１０４を有する。
【００１３】
更に、無線端末１はローミング検出部１０６及びタイマー１０７を有する。ローミング検出部１０６は予めタイマー１０７に設定された時間間隔でＡＰ情報テーブル１０５から現在その無線端末１が接続されている無線ＬＡＮアクセスポイントの情報を読み込み、保持する。
【００１４】
また、ローミング検出部１０６はタイマー１０７の時間間隔でＡＰ情報テーブル１０５から新規に読み込んだ無線ＬＡＮアクセスポイントのＭＡＣアドレスとローミング検出部１０６で保持している値を比較する。そして、無線ＬＡＮアクセスポイントが変更されている場合には、ローミング検出部１０６はローミング検出を呼制御部１０３に通知し、呼制御部１０３はそれに基づいて再認証処理を行う。
【００１５】
図３はスイッチングハブ４の内部構成を示すブロック図である。スイッチングハブ４は複数のポートを有し、ポート４０１に無線ＬＡＮアクセスポイント２が接続され、ポート４０２に無線ＬＡＮアクセスポイント３に接続され、ポート４０３にＶｏＩＰサーバ５が接続されている。スイッチングハブ４にはそれ以外にも複数の無線ＬＡＮアクセスポイントに対応して複数のポートが設けられている。
【００１６】
また、各部を制御する制御部４０４を有し、更に接続されている端末のＭＡＣアドレスと各ポートの対応を示す情報を格納するアドレステーブル４０４を有する。スイッチングハブ４はパケットを受信した際、制御部４０３がアドレステーブル４０４を参照し、受信したパケットの宛先ＭＡＣアドレスが登録されているか否かを確認する。確認の結果、登録されていれば対応付けられたポートに転送し、登録されていなければ全ポートに転送する。
【００１７】
更に、スイッチングハブ４はパケットを受信した際、該当パケットの送信元ＭＡＣアドレスを参照し、パケットを受信したポートとそのＭＡＣアドレスの対応情報をアドレステーブル４０４に登録する。
【００１８】
次に、本実施形態の動作について説明する。まず、図１に示すように、無線端末１が、例えば、無線ＬＡＮアクセスポイント２に接続されると、無線端末１のヘッダ解析部１０２は無線ＬＡＮアクセスポイント２のＭＡＣアドレスをＡＰ情報テーブル１０５に記録する。
【００１９】
無線端末１は無線ＬＡＮアクセスポイント２及びスイッチングハブ４を経由してＶｏＩＰサーバ５に対し、登録要求の呼制御パケットを送出する。
【００２０】
一方、無線端末１のローミング検出部１０６はタイマー１０７の一定時間毎にＡＰ情報テーブル１０５を参照し、無線ＬＡＮアクセスポイントのＭＡＣアドレス情報をローミング検出部１０６内部の記録領域に保持しているＭＡＣアドレス情報と比較する。例えば、無線端末１が無線ＬＡＮアクセスポイント２に接続されている時はＡＰ情報テーブル１０５に無線ＬＡＮアクセスポイント２のＭＡＣアドレスが記録されているため、ローミング検出部１０６は一定時間毎に無線ＬＡＮアクセスポイント２のＭＡＣアドレスを保持する。
【００２１】
ここで、無線端末１が無線ＬＡＮアクセスポイント３にローミングすると、ＡＰ情報テーブル１０５には無線ＬＡＮアクセスポイント３のＭＡＣアドレスが記録されるが、ローミング検出部１０６は無線ＬＡＮアクセスポイント２のＭＡＣアドレスを保持している。
【００２２】
そのため、ローミング検出部１０６はＡＰ情報テーブル１０５から取得したＭＡＣアドレス情報と、保持しているＭＡＣアドレス情報との比較結果から無線ＬＡＮアクセスポイントが変更されたことを検知し、ローミングしたと判断する。ローミングしたと判断すると、ローミング検出部１０６は呼制御部１０３に対し、ＶｏＩＰサーバ５への認証を促す。その結果、呼制御部１０３は送信パケット生成部１０４を制御して認証用の呼制御パケットを生成し、再び認証用の呼制御パケットをＶｏＩＰサーバ５に対し送出する。
【００２３】
ここで、ＶｏＩＰで用いられる呼制御のプロトコルにはＳＩＰがある。ＳＩＰは端末がＲＥＧＩＳＴＡＲと呼ばれる信号をサーバ装置に対して発行し、それによってサーバ装置は端末の位置登録を行う。一般に、端末にはＥＸＰＩＲＥ  ＴＩＭＥ値が設定されており、そのＥＸＰＩＲＥ  ＴＩＭＥ値で定められた時間間隔で定期的にＲＥＧＩＳＴＡＲ信号をサーバ装置に対して発行する。その値は一般に５分から６０分といった時間である。
【００２４】
本実施形態では、無線端末に定められたＥＸＰＩＲＥ  ＴＩＭＥ値に拘わらず、無線端末がローミングを検出すると、直ちに上述のようなＲＥＧＩＳＴＡＲ信号の送出等の再認証処理を行う。
【００２５】
ここで、上述のように無線端末１がローミングを検出すると、認証用の呼制御パケットをＶｏＩＰサーバ５に送信するが、その際、経由するスイッチングハブ４において制御部４０４がアドレステーブル４０５を更新する。即ち、ローミング検出前においては無線ＬＡＮアクセスポイント２に無線端末１が接続されているため、スイッチングハブ４のアドレステーブル４０５にはポート４０１と無線端末１のＭＡＣアドレス情報が対応付けられている。
【００２６】
この状態で、上述のように無線端末１が無線ＬＡＮアクセスポイント３に接続され、無線端末１のローミングが検出され、無線端末１からスイッチングハブ４を経由して認証用の呼制御パケットが送信されると、スイッチングハブ４における制御部４０４はそのパケットを解析し、ローミング後における無線ＬＡＮアクセスポイント３に対応するポート４０２と無線端末１のＭＡＣアドレス情報を対応付けるようにアドレステーブル４０５を更新する。
【００２７】
従って、ＶｏＩＰサーバ５から無線端末１に送信されたパケットがポート４０２及び無線ＬＡＮアクセスポイント３を経由して無線端末１に届くようになるので、ローミング直後にＶｏＩＰ端末６からの着信が入らない問題を回避できる。因みに、従来においては無線端末がローミングした場合には、スイッチングハブはＶｏＩＰサーバからのパケットをローミング前の無線ＬＡＮアクセスポイント２が接続されたポート４０１に転送してしまい、無線端末が着信を受けるまでには時間がかかる。
【図面の簡単な説明】
【００２８】
【図１】本発明に係る無線ＬＡＮシステムの一実施形態の構成を示すブロック図である。
【図２】図１の無線端末の内部構成を示すブロック図である。
【図３】図１のスイッチングハブの内部構成を示すブロック図である。
【符号の説明】
【００２９】
１  無線端末
２、３  無線ＬＡＮアクセスポイント
４  スイッチングハブ
５  ＶｏＩＰサーバ
６  ＶｏＩＰ端末
７  無線ＬＡＮ
１０１  無線Ｉ／Ｆ部
１０２  ヘッダ解析部
１０３  呼制御部
１０４  送信パケット生成部
１０５  ＡＰ情報テーブル
１０６  ローミング検出部
１０７  タイマー
４０１〜４０３  ポート
４０４  制御部
４０５  アドレステーブル
【図１】
2007096845.tif 000003
【図２】
2007096845.tif 000004
【図３】
2007096845.tif 000005